(57)【要約】      （修正有）【課題】簡易な構成で密封性を向上させることのできるファスナーおよびそのファスナーを用いた収納袋を提供する。【解決手段】雄型軌道R1と対向して設けられ、雄側形状部と噛み合わされる雌型形状部を有する雌型軌道R2と、雄型軌道と雌型軌道とを跨ぐように取り付けられ、閉位置P1と開位置との間で摺動されると共に、開位置側に設けられて雄型軌道と雌型軌道とを噛み合わせて閉鎖させる閉鎖部、閉位置側に設けられて雄型軌道と雌型軌道との噛み合わせを解除して開口させる開口部12および閉鎖部11並びに開口部を支持する支持部13を有する開閉部材10とを備え、開閉部材の開口部は、開閉部材の支持部の閉位置側端部13aよりも開位置側11に設けられていることを特徴とする。【選択図】図１
2011115383.tif 000002
【特許請求の範囲】
【請求項１】
雄型形状部を有する雄型軌道と、
前記雄型軌道と対向して設けられ、前記雄側形状部と噛み合わされる雌型形状部を有する雌型軌道と、
前記雄型軌道と前記雌型軌道とを跨ぐように取り付けられ、閉位置と開位置との間で摺動されると共に、前記開位置側に設けられて前記雄型軌道と前記雌型軌道とを噛み合わせて閉鎖させる閉鎖部、前記閉位置側に設けられて前記雄型軌道と前記雌型軌道との噛み合わせを解除して開口させる開口部、および前記閉鎖部並びに前記開口部を支持する支持部を有する開閉部材と、
を備え、
前記開閉部材の前記開口部は、当該開閉部材の支持部の閉位置側端部よりも前記開位置側に設けられていることを特徴とするファスナー。
【請求項２】
前記雄型軌道および前記雌型軌道は、各軌道の長手方向に沿って延ばされる縁部を備え、
前記閉位置において、前記開閉部材の支持部の少なくとも一部は、前記縁部と接触するように構成されることを特徴とする請求項１に記載のファスナー。
【請求項３】
前記開閉部材の開口部の前記閉位置側には、当該開閉部材の内側に傾斜された傾斜部が形成されることを特徴とする請求項１または請求項２の何れかに記載のファスナー。
【請求項４】
前記雄型軌道および前記雌型軌道は、少なくとも前記閉位置において密着されて突出する密着部が形成され、
前記閉位置において、前記開閉部材の支持部の少なくとも一部は、前記密着部の突出端側に接触するように構成されることを特徴とする請求項１から請求項３の何れかに記載のファスナー。
【請求項５】
前記雄型軌道および前記雌型軌道は、少なくとも前記閉位置において密着されて密着部が形成され、
前記閉位置において、前記開閉部材の支持部の端部は、前記密着部の端部に接触するように構成されることを特徴とする請求項１から請求項３の何れかに記載のファスナー。
【請求項６】
前記雄型軌道および前記雌型軌道は、少なくとも前記閉位置において密着されて突出する密着部が形成され、
前記閉位置において、前記開閉部材の支持部の少なくとも一部は、前記密着部の突出端側に接触すると共に、前記開閉部材の支持部の側端部と前記密着部の側端部との間には空間が形成されるように構成されることを特徴とする請求項１から請求項３の何れかに記載のファスナー。
【請求項７】
前記雄型軌道および前記雌型軌道は、少なくとも前記閉位置において密着されて突出する密着部が形成されると共に、当該密着部の前記開位置側の端部に前記開位置側に傾斜する傾斜部が形成され、
前記閉位置において、前記開閉部材の支持部の少なくとも一部は、前記密着部の前記傾斜部を介して前記密着部の突出端側に載り上がるように構成されることを特徴とする請求項１から請求項３の何れかに記載のファスナー。
【請求項８】
前記雄型軌道および前記雌型軌道は、可撓性を有する樹脂で成形され、前記密着部は前記雄型軌道および前記雌型軌道の端部を融着して形成されることを特徴とする請求項４から請求項７の何れかに記載のファスナー。
【請求項９】
請求項１から請求項８の何れかに記載のファスナーを備えることを特徴とする収納袋。
【発明の詳細な説明】
【技術分野】
【０００１】
本発明は、ファスナーおよびそのファスナーを用いた収納袋に関するものである。
【背景技術】
【０００２】
従来から樹脂製のファスナーに関する構造は種々提案されている。
【０００３】
例えば、熱可塑性フィルムの袋において、１対の雌雄のファスナー部材が袋の口部に沿って配置され、袋の可撓性を有する壁部に取付けられたものが周知である。
【０００４】
このようなファスナーを備えた熱可塑性フィルムの袋は、密封性が良好で、各種食品や、砂糖、塩等の調味料あるいはトナー等の粉状物の収納や保管に適し、広く用いられている。
【０００５】
一方、上記のようなファスナーを備えた熱可塑性フィルムの袋においては、開閉部材（スライダ）を設け、この開閉部材を摺動させることにより袋の開閉をスムーズに行うことができるようにしたスライダ付きファスナーが種々開発されている。
【０００６】
例えば、特開平５−１３７６０７号公報には、再閉塞可能なファスナーの開閉を行うためのスライダを有する再閉塞可能なプラスチック製ファスナーからなり、ファスナー及びスライダはスライダがそのトラックに沿って閉じる方の移動端部に達したときにスライダの雌雄の外形の部材を可撓性舌片からなる圧縮型のラッチ機構等により相互に係止する状態に保持する技術が開示されている。
【先行技術文献】
【特許文献】
【０００７】
【特許文献１】特開平５−１３７６０７号公報
【発明の概要】
【発明が解決しようとする課題】
【０００８】
本発明は、簡易な構成で密封性を向上させることのできるファスナーおよびそのファスナーを用いた収納袋を提供することを目的とする。
【課題を解決するための手段】
【０００９】
前記課題を解決するため、請求項１の発明に係るファスナーは、雄型形状部を有する雄型軌道と、前記雄型軌道と対向して設けられ、前記雄側形状部と噛み合わされる雌型形状部を有する雌型軌道と、前記雄型軌道と前記雌型軌道とを跨ぐように取り付けられ、閉位置と開位置との間で摺動されると共に、前記開位置側に設けられて前記雄型軌道と前記雌型軌道とを噛み合わせて閉鎖させる閉鎖部、前記閉位置側に設けられて前記雄型軌道と前記雌型軌道との噛み合わせを解除して開口させる開口部、および前記閉鎖部並びに前記開口部を支持する支持部を有する開閉部材とを備え、前記開閉部材の前記開口部は、当該開閉部材の支持部の閉位置側端部よりも前記開位置側に設けられていることを特徴とする。
【００１０】
請求項２の発明に係るファスナーは、請求項１に記載の発明について、前記雄型軌道および前記雌型軌道は、各軌道の長手方向に沿って延ばされる縁部を備え、前記閉位置において、前記開閉部材の支持部の少なくとも一部は、前記縁部と接触するように構成されることを特徴とする。
【００１１】
請求項３の発明に係るファスナーは、請求項１または請求項２の何れかに記載の発明について、前記開閉部材の開口部の前記閉位置側には、当該開閉部材の内側に傾斜された傾斜部が形成されることを特徴とする。
【００１２】
請求項４の発明に係るファスナーは、請求項１から請求項３の何れかに記載の発明について、前記雄型軌道および前記雌型軌道は、少なくとも前記閉位置において密着されて突出する密着部が形成され、前記閉位置において、前記開閉部材の支持部の少なくとも一部は、前記密着部の突出端側に接触するように構成されることを特徴とする。
【００１３】
請求項５の発明に係るファスナーは、請求項１から請求項３の何れかに記載の発明について、前記雄型軌道および前記雌型軌道は、少なくとも前記閉位置において密着されて密着部が形成され、前記閉位置において、前記開閉部材の支持部の端部は、前記密着部の端部に接触するように構成されることを特徴とする。
【００１４】
請求項６の発明に係るファスナーは、請求項１から請求項３の何れかに記載の発明について、前記雄型軌道および前記雌型軌道は、少なくとも前記閉位置において密着されて突出する密着部が形成され、前記閉位置において、前記開閉部材の支持部の少なくとも一部は、前記密着部の突出端側に接触すると共に、前記開閉部材の支持部の側端部と前記密着部の側端部との間には空間が形成されるように構成されることを特徴とする。
【００１５】
請求項７の発明に係るファスナーは、請求項１から請求項３の何れかに記載の発明について、前記雄型軌道および前記雌型軌道は、少なくとも前記閉位置において密着されて突出する密着部が形成されると共に、当該密着部の前記開位置側の端部に前記開位置側に傾斜する傾斜部が形成され、前記閉位置において、前記開閉部材の支持部の少なくとも一部は、前記密着部の前記傾斜部を介して前記密着部の突出端側に載り上がるように構成されることを特徴とする。
【００１６】
請求項８の発明に係るファスナーは、請求項４から請求項７の何れかに記載の発明について、前記雄型軌道および前記雌型軌道は、可撓性を有する樹脂で成形され、前記密着部は前記雄型軌道および前記雌型軌道の端部を融着して形成されることを特徴とする。
【００１７】
請求項９の発明に係る収納袋は、請求項１から請求項８の何れかに記載のファスナーを備えることを特徴とする。
【発明の効果】
【００１８】
本発明によれば以下の効果を奏することができる。
【００１９】
すなわち、請求項１に記載の発明によれば、簡易な構成で密封性を向上させるファスナーを提供することができる。
【００２０】
請求項２に記載の発明によれば、開閉部材の支持部の少なくとも一部を縁部と接触させ、密封性をより向上させるファスナーを提供することができる。
【００２１】
請求項３に記載の発明によれば、開閉部材の開口部の閉位置側に開閉部材の内側に傾斜された傾斜部を形成し、密封性をより向上させるファスナーを提供することができる。
【００２２】
請求項４に記載の発明によれば、閉位置において開閉部材の支持部の少なくとも一部を密着部の突出端側に接触させ、密封性をより向上させるファスナーを提供することができる。
【００２３】
請求項５に記載の発明によれば、閉位置において開閉部材の支持部の端部を密着部の端部に接触させ、密封性をより向上させるファスナーを提供することができる。
【００２４】
請求項６に記載の発明によれば、簡易な構成で密封性をより向上させることが可能なファスナーを提供することができる。
【００２５】
請求項７に記載の発明によれば、密封性をより向上させることが可能なファスナーを提供することができる。
【００２６】
請求項８に記載の発明によれば、密封性を一層向上させることが可能なファスナーを提供することができる。
【００２７】
請求項９に記載の発明によれば、簡易な構成で密封性を向上させる収納袋を提供することができる。
【図面の簡単な説明】
【００２８】
【図１】実施の形態に係るファスナーＦ１の概略構成を示す側面図（ａ）、一部断面図（ｂ）および下面から見た図（ｃ）である。
【図２】実施の形態に係るファスナーＦ１の使用状態を示す側面図（ａ）、一部断面図（ｂ）および下面から見た図（ｃ）である。
【図３】実施の形態に係るファスナーＦ１の使用状態を示す側面図（ａ）、一部断面図（ｂ）および下面から見た図（ｃ）である。
【図４】開閉部材（スライダ）１０の構成例を示す斜視図である。
【図５】開閉部材（スライダ）１０の構成例を示す平面図（ａ）、側面図（ｂ）、正面図（ｃ）および後面図（ｄ）である。
【図６】実施の形態に係るファスナーＦ１の構成例を示す説明図である。
【図７】実施の形態に係るファスナーＦ１の構成例を示す説明図である。
【図８】実施の形態に係るファスナーＦ１の構成例を示す説明図である。
【図９】実施の形態に係るファスナーＦ１の構成例を示す説明図である。
【図１０】実施の形態に係るファスナーＦ１の構成例を示す斜視図である。
【図１１】実施の形態に係るファスナーＦ１を用いた収納袋の構成例を示す説明図である。
【図１２】比較対象としてのファスナーＦ２の概略構成を示す側面図（ａ）、一部断面図（ｂ）および下面から見た図（ｃ）である。
【発明を実施するための形態】
【００２９】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
図１から図１１を参照して、本発明についての実施の形態に係るファスナーＦ１について説明する。
【００３１】
図１の（ａ）は、樹脂製の袋３００に取り付けられたファスナーＦ１の側面図、（ｂ）はファスナーＦ１の主要部を構成するスライダ１０の断面を含む図、（ｃ）は樹脂製の袋３０に取り付けられたファスナーＦ１を下側から見た図である。
【００３２】
ファスナーＦ１は、雄型形状部を有する雄型軌道Ｒ１と、雄型軌道Ｒ１と対向して設けられ、雄側形状部と噛み合わされる雌型形状部を有する雌型軌道Ｒ２と、雄型軌道Ｒ１と雌型軌道Ｒ２とを跨ぐように取り付けられ（図１の（ｃ）参照）、閉位置Ｐ１と開位置（図１の（ａ）に示すＰ２）との間で摺動されると共に、開位置Ｐ２側に設けられて雄型軌道Ｒ１と雌型軌道Ｒ２とを噛み合わせて閉鎖させる閉鎖部１１、閉位置Ｐ１側に設けられて雄型軌道Ｒ１と雌型軌道Ｒ２との噛み合わせを解除して開口させる開口部（開口用リブ）１２および閉鎖部１１並びに開口部１２を支持する支持部１３を有する開閉部材（スライダ）１０とを備え、開閉部材１０の開口部１２は、当該開閉部材１０の支持部１３の閉位置側端部１３ａよりも開位置Ｐ２側に設けられるようにして構成されている。
【００３３】
なお、図１には、トナー等の粉状物等を収容する樹脂製の袋３０の開口部付近に、ファスナーＦ１が融着等の方法により取り付けられた状態が示されている。
【００３４】
また、雄型軌道Ｒ１、雌型軌道Ｒ２および開閉部材１０は、ナイロン、ポリプロピレン、ポリエチレン等の樹脂またはこれらの樹脂の組合せで形成される。
【００３５】
また、雄型軌道Ｒ１および雌型軌道Ｒ２には、閉位置Ｐ１と開位置Ｐ２において密着（例えば、プレス融着等）されて突出する密着部２０が形成されている。
【００３６】
なお、雄型軌道Ｒ１および雌型軌道Ｒ２を可撓性を有する樹脂で成形した場合には、前記密着部２０自体も可撓性を有する。
【００３７】
さらに、雄型軌道Ｒ１および雌型軌道Ｒ２は、各軌道の長手方向に沿って延ばされる縁部２１を備える。この縁部２１は別途設けてもよいが、袋３０の開口部の上端部によって構成してもよい。
【００３８】
ここで、図１２を参照して、比較対象としての従来のファスナーＦ２の構成について簡単に説明する。
【００３９】
なお、本実施の形態に係るファスナーＦ１と同様の構成については、同一符号を付して重複した説明は割愛する。
【００４０】
従来のファスナーＦ２では、開閉部材（スライダ）１００において、開口部（開口用リブ）１１２の閉位置Ｐ１側の先端は、開閉部材１００の支持部１１３の閉位置Ｐ１側の先端と面一になっている。
【００４１】
このため、図１２の（ｃ）等を参照すると分かるように、閉位置Ｐ１に到達した開閉部材１００の先端（支持部１１３の先端および開口部１１２の先端）において、隙間（空間）Ｓを生じてしまい、密封性が損なわれている。
【００４２】
従って、袋３０にトナー等の粉状物を収容した場合には、隙間（空間）Ｓから粉状物が外部に漏れる虞があった。
【００４３】
そこで、本発明では、上述のように、開閉部材１０の開口部１２は、当該開閉部材１０の支持部１３の閉位置側端部１３ａよりも開位置Ｐ２側に設けられるようにして構成し、隙間（空間）Ｓが生じた場合であっても支持部１３の閉位置側端部１３ａがその隙間（空間）Ｓを庇のように覆って、密封性を向上させている。
【００４４】
これにより、袋３０にトナー等の粉状物を収容した場合であっても、隙間（空間）Ｓから粉状物が外部に漏れることが抑制される。
【００４５】
図２および図３は、本実施の形態に係るファスナーＦ１において、袋３０の開口部を閉鎖する際に、開閉部材１０を矢印Ａ方向に移動させる状態を示す。
【００４６】
なお、袋３０を開口する場合には、開閉部材１０を矢印Ａ方向と反対方向に移動させることは言うまでもない。
【００４７】
また、図４は、本実施の形態に係るファスナーＦ１に適用される開閉部材１０の構成例を示す斜視図、図５は、開閉部材１０の構成例を示す平面図（ａ）、側面図（ｂ）、正面図（ｃ）および後面図（ｄ）である。
【００４８】
図４および図５（ａ）等を参照すると明らかなように、開閉部材１０の開口部（開口用リブ）１２は、開閉部材１０の支持部１３の閉位置側端部１３ａよりも閉鎖部１１側に設けられている。
【００４９】
なお、開口部（開口用リブ）１２の形状は、図４および図５に示す形状に限定されるものではない。
【００５０】
また、図４および図５の（ａ）では、閉位置側端部１３ａの先端が尖った形状をしているが、これに限定されるものではなく、平らな先端形状や丸みを有した先端形状等であってもよい。
【００５１】
次に、本実施の形態に係るファスナーＦ１の他の構成例について説明する。
【００５２】
まず、図１等に示される雄型軌道Ｒ１および雌型軌道Ｒ２は、上述のように各軌道の長手方向に沿って延ばされる縁部２１を備えているおり、閉位置Ｐ１において、開閉部材１０の支持部１３の少なくとも一部（例えば、支持部１３の天井部の下面側等）は、縁部２１と接触するように構成してもよい。
【００５３】
これにより、密封性がより向上され、袋３０にトナー等の粉状物を収容した場合であっても、隙間（空間）Ｓ（図１（ｃ）等参照）から粉状物が外部に漏れることが抑制される。
【００５４】
また、図６に示すように、開閉部材１０の開口部（開口用リブ）１２の閉位置Ｐ１（図１の（ａ）参照）側には、当該開閉部材１０の内側に傾斜された傾斜部１２Ａが形成されるように構成してもよい。
【００５５】
これにより、開口部（開口用リブ）１２の上方側が、閉位置Ｐ１において隙間（空間）Ｓ（図１（ｃ）等参照）の上面側を塞ぐフタの役目を果たし、密封性がより向上される。
【００５６】
また、上述のように、雄型軌道Ｒ１および雌型軌道Ｒ２は、閉位置Ｐ１において密着されて突出する密着部２０が形成されている。
【００５７】
ここで、図７に示すように、閉位置Ｐ１において、開閉部材５００の支持部５１３の少なくとも一部（例えば、支持部５１３の先端部５１３ａの下面等）は、密着部２０の突出端２０ａ側に接触するように構成してもよい。
【００５８】
特に、上述したように雄型軌道Ｒ１および雌型軌道Ｒ２を可撓性を有する樹脂で成形した場合には、密着部２０自体も可撓性を有するので、この場合には、密着部２０の突出端２０ａは、支持部５１３との接触により僅かに潰され、その密着部２０からの反発力により密封性がより向上される。
【００５９】
また、図８に示すように、閉位置Ｐ１において、開閉部材６００の支持部６１３の端部６１３ａは、密着部２０の端部２０ｂに接触するように構成してもよい。
【００６０】
この場合に、密着部２０の端部２０ｂは、ほぼ垂直な面を持つように加工すると開閉部材６００の支持部６１３の端部６１３ａとの接触面積が広くなり、密封性がより向上される。
【００６１】
また、図９に示すように、閉位置Ｐ１において、開閉部材７００の支持部７１３の少なくとも一部（例えば、支持部７１３の先端部７１３ａの下面等）は、密着部２０の突出端２０ａ側に接触すると共に、開閉部材７００の支持部７１３の側端部７１３ｂと密着部２０の側端部２０ｂとの間には空間７５０が形成されるように構成してもよい。
【００６２】
この場合には、密封性が向上されると共に、袋３０全体あるいは密着部２０の付近に、矢印ｆの力が加わった場合に、空間７５０が緩衝部（バッファ）となり、開閉部材７００が開位置Ｐ２側にずれることが抑制される。
【００６３】
また、図１０に示すように、密着部２０の開位置Ｐ２側の端部に開位置Ｐ２側に傾斜する傾斜部２０ｃが形成され、閉位置Ｐ１において、開閉部材８００の支持部８１３の少なくとも一部（例えば、支持部８１３の先端部の下面等）は、密着部２０の傾斜部２０ｃを介して密着部２０の突出端２０ａ側に載り上がるように構成してもよい。
【００６４】
この場合には、支持部８１３の先端部の下面等が密着部２０の突出端２０ａ側に載り上がることにより開口部（開口用リブ）１２が矢印Ｂ側に移動されて雄型軌道Ｒ１および雌型軌道Ｒ２に食い込んで容易に外れないようになる。これにより、密封性が一層向上される。
【００６５】
図１１には、上述のファスナーＦ１を樹脂製等の袋３０に取り付けた収納袋９００の構成例を示す。
【００６６】
このような収納袋９００の用途は特には限定されないが、本実施の形態に係るファスナーＦの良好な密封性を活かして、レーザプリンタ等に用いられるトナー（廃棄トナーやトナーカートリッジ自体を含む）や砂糖や塩等の各種粉末調味料等の粉状物の収容や保管等に用いることが想定される。
【００６７】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００６８】
本発明によるファスナーは、樹脂製の収納袋等の封止に適用することができる。
【符号の説明】
【００６９】
Ｆ１  ファスナー
１０  開閉部材
１１  閉鎖部
１２  開口部
１２Ａ  傾斜部
１３  支持部
１３ａ  閉位置側端部
２０  密着部
２０ａ  突出端
２０ｂ  端部（側端部）
２０ｃ  傾斜部
２１  縁部
３０  袋
１００  開閉部材
１１２  開口部
１１３  支持部
３００  袋
５００  開閉部材
５１３  支持部
５１３ａ  先端部
６００  開閉部材
６１３  支持部
６１３ａ  端部
７００  開閉部材
７１３  支持部
７１３ａ  先端部
７１３ｂ  側端部
７５０  空間
８００  開閉部材
８１３  支持部
９００  収納袋
Ｆ２  ファスナー
Ｐ１  開位置
Ｐ２  開位置
Ｒ１  雄型軌道
Ｒ２  雌型軌道
Ｓ  隙間（空間）
【図１】
2011115383.tif 000003
【図２】
2011115383.tif 000004
【図３】
2011115383.tif 000005
【図４】
2011115383.tif 000006
【図５】
2011115383.tif 000007
【図６】
2011115383.tif 000008
【図７】
2011115383.tif 000009
【図８】
2011115383.tif 000010
【図９】
2011115383.tif 000011
【図１０】
2011115383.tif 000012
【図１１】
2011115383.tif 000013
【図１２】
2011115383.tif 000014